(57)【要約】【課題】下地床面に敷設した床パネルの下側への風の吹き込みを効果的に防ぎ、強風時にも床パネルが捲れ上がるようなことはなく下地床面上に確実に固定しておけるようにする。【解決手段】パネル面１２が複数の脚体１３で支持されてなる床パネル１の側辺に取付けられる端部納め材２を、天面部２１と後面部２３と左右側面部２４、２４とを有する塊状金属材により形成する。後面部２３は床パネル１と略同じ高さに設け、天面部２１は後面部２３の上端に連なる一側から他側が下地床面に略接する位置に達するように傾斜させて設けるとともに、後面部２３に床パネル１の側辺に接続する連結片２５を設けた構成とする。【選択図】図４
2011099214.tif 000002
【特許請求の範囲】
【請求項１】
パネル面が複数の脚体で支持されてなる床パネルの側辺に取付けられる端部納め材において、
天面部と後面部と左右側面部とを有する塊状金属材からなり、前記後面部は床パネルと略同じ高さに設けられ、天面部は後面部の上端に連なる一側から他側が下地床面に略接する位置に達するように傾斜させて設けられているとともに、床パネルの側辺に接続する連結片が前記後面部に設けられた構成を有することを特徴とする床パネルの端部納め材。
【請求項２】
表面に防蝕加工を施して形成された請求項１に記載の床パネルの端部納め材。
【請求項３】
天面部に複数の凹部又は凸部を形成してなる請求項１又は２に記載の床パネルの端部納め材。
【発明の詳細な説明】
【技術分野】
【０００１】
本発明は、ベランダやバルコニーなどの下地床面に敷き詰めて装飾床面を構成する床パネルの端部に取付ける端部納め材に係り、床パネルが強風を受けても捲れ上がったり分離飛散したりすることなく床面上に確実に固定しておけるようにした構造のものに関する。
【背景技術】
【０００２】
ベランダやバルコニー、軒下などの建物の外壁から張り出した部分の床面は、水捌けを良くするためコンクリートを剥き出しにすることが多く、このようなモルタル床面は見栄えが悪く、歩行の際に足裏に伝わる感触もすぐれない。そこで、図６に示されるような、表面に装飾加工がなされた合成樹脂製の床パネルをモルタル床面に敷き詰め、床面を建物の外壁と調和のとれた外観のものに加工することが行われている。
同図に示された床パネル１は、パネル面１２に適宜な装飾加工が施されていてその下面には所定の間隔で複数本の脚体１３が突設されてなる単位パネル１１を、目地部を介して縦横三列に並べ、且つ周側辺部のうちの隣接二辺にそれぞれ継手部としての雄型継手片１４と雌型継手片１５を対応位置に複数設けて一体成形されており、これを床面上に複数枚並設し、隣接並置させた床パネル１、１の継手片１４、１５同士を凹凸嵌合させて両パネル１、１の側辺部を互いに連結することで一体の装飾床面を構成するようになっている。
かかる床パネル１は、合成樹脂材を用いて軽量に形成されており、同図（Ｂ）に示されるように、例えばマンションの高層階のベランダなどに床パネル１を敷設した場合などに強風を受けると、風Ｗが床パネル１の端部からパネル面１２の下側に吹き込んで煽られ、敷設した床パネル１が捲れ上がったり分離飛散したりする虞があることから、敷設した床パネル１を下地床面に固定する手段を施す必要がある。
【０００３】
従来、床パネルを下地床面に固定する手段としては、例えば床面上に構成された装飾床面の周辺部の床パネルとその近傍の構造物とをステンレスワイヤーなどの接続部材で接続して固定する手段（特許文献１、２参照）や、床面に支持板を固着しておき、この支持板を跨いで敷設した床パネルを支持板に留め付けて床面に固定する手段（特許文献３参照）が知られている。また、床パネルの端部下側に嵩比重の高い重量物を一体に取付けて床パネルを固定しておく手段（特許文献４参照）、或いは床パネルの下側に吹き込んだ風をパネル上方へ誘導する導風板を床パネルの端部に取り付け、強風を受けたときの負圧を抑制することで床パネルの捲れ上がりを防止する手段（特許文献５参照）が知られている。
【先行技術文献】
【特許文献】
【０００４】
【特許文献１】特開平１１−１７２８９８号公報
【特許文献２】特開平１１−２２３００７号公報
【特許文献３】特開２００９−８４７７８号公報
【特許文献４】特開２００８−１９０３１３号公報
【特許文献５】特開２００３−５６１６６号公報
【発明の概要】
【発明が解決しようとする課題】
【０００５】
前記床パネルを固定する手段において、装飾床面を構成する周辺部の床パネルと構造物とを接続部材を介して接続する手段では、構造物に接続した周辺部の床パネルは捲れ上がる虞はないものの、装飾床面の中央部寄りの床パネルは、床パネルの下側に吹き込んだ風に煽られて床パネル同士の連結が外れ、捲れ上がってしまうという問題がある。
床面に固着された支持板に床パネルを固定する手段では、予め床パネルの敷設位置に合わせて支持板を床面に固着しておく必要あるなど施工が面倒であり、各床パネルを支持板に固定するため床パネルの分離飛散の防止に有効である反面、支持板から床パネルを取り外し難く、装飾床面のメンテナンス作業やレイアウトの変更に手間を要するという問題がある。
また、床パネルの端部に重量物を一体に取付けて固定する手段では、重量物を取付けた床パネルの端部と下地床面との間が段差となり、床パネル上を歩行しているときに段差に足を取られて躓き易くなり、また、前記床パネル端部から床パネルの下側への風の進入は防ぐことができず、前記と同様に、床パネルの下側に吹き込んだ風に煽られて装飾床面を構成する床パネルの一部が捲れ上がってしまうという問題がある。
さらに、何れの固定手段であっても、合成樹脂製の床パネルで装飾床面を構成した場合には、風速５０ｍ／Ｓを超える強風が床パネルに吹き付けたときには、床パネル同士の連結が外れて床パネルが捲れ上がってしまい、床パネルの分離飛散を防止することができなかった。
【０００６】
本発明は従来技術の有するこのような問題点に鑑み、下地床面に敷設した床パネルの下側への風の吹き込みを効果的に防ぎ、強風時にも床パネルが捲れ上がるようなことはなく、床パネルを下地床面上に確実に固定しておくことができるようにすることを課題とする。
【課題を解決するための手段】
【０００７】
前記課題を解決するため本発明は、パネル面が複数の脚体で支持されてなる床パネルの側辺に取付けられる端部納め材において、
天面部と後面部と左右側面部とを有する塊状金属材からなり、前記後面部は床パネルと略同じ高さに設けられ、天面部は後面部の上端に連なる一側から他側が下地床面に略接する位置に達するように傾斜させて設けられているとともに、床パネルの側辺に接続する連結片が前記後面部に設けられた構成を有することを特徴とする。
【０００８】
本発明の端部納め材は、下地床面に敷設した床パネルの側辺端部に連結片を接続して取付けられる。端部納め材は、合成樹脂製の床パネルよりも重い塊状金属材からなるで、強風を受けても変位することなく設置位置に固定され、これに接続した床パネルの変位を防止して敷設位置に保持することができる。
端部納め材は、その後面部が床パネルと略同じ高さに設けてあるので、当該後面部で床パネルの端部の隙間が遮蔽されて床パネルの下側空間への風の進入が阻止され、また、天面部が後面部から下り傾斜させて設けてあるので、端部納め材に吹き付ける風は天面部に沿って床パネルの上方空間へと導かれ、床パネルの下側空間へ進入する風はごく僅かな量となって強風を受けた際の影響を最小限に抑え、これにより床パネルが強風を受けて捲れ上がったり分離飛散したりすることを効果的に防止することができる。また、天面部の先端は下地床面に略接する高さに設けてあるので、下地床面との段差が極めて小さく、床パネルを歩行中に足をとられて躓くことはない。
【０００９】
前記構成の端部納め材は、鉄やアルミニウム、より好ましくは比重が４以上の重金属などの質量が大きな金属材を用い、鋳物やダイカスト法などによって形成することができる。その表面には防蝕加工を施すことが好ましく、例えば全体を鉄で形成し、その表面を錆防止のための塗装をし、或いはアルミダイカストにより形成し、その表面をアルマイト加工した後、塗装したりすることができる。また、インサート射出成型により、金属コア体の表面を合成樹脂材で被覆して形成してもよい。
また、端部納め材の天面部には、装飾用或いは防滑用としての複数の凹部又は凸部を形成することができる。床パネルのパネル面に施した装飾と対応した凹凸模様を形成してもよい。天面部と底面部の間を貫通するように凹部を設けてよい。
端部納め材は、一枚の床パネルの側辺に接続する長さに形成されるが、床パネルを複数枚列設した場合にそれら複数枚の床パネルの側辺全体に接続する長さに形成してもよい。後面部に設ける連結片は、床パネルの側辺に接続可能な適宜な形状に設けることができ、例えば先端に床パネルの脚体が係合する係合部を有する連結片を後面部から突出させて形成することができる。
また、強風を受けても変位しないだけの質量が確保されていれば、端部納め材を中空状に設けてもよい。塊状に形成する場合、端部納め材の底面部には排水用の凹部を設けることが好ましい。
【図面の簡単な説明】
【００１０】
【図１】本発明の端部納め材の一実施形態の外観斜視図である。
【図２】図１の端部納め材の平面図である。
【図３】図１の端部納め材の拡大縦断面図である。
【図４】図１の端部納め材を床パネルに取付けた状態の断面図である。
【図５】他の実施形態の端部納め材の要部断面図である。
【図６】（Ａ）は床パネルを敷設して装飾床面を構成する形態を説明するための図、（Ｂ）は床パネルの端部から風が吹き込む状態を説明するための断面図である。
【発明を実施するための形態】
【００１１】
本発明の好適な実施形態を図面に基づいて説明する。
図１は本発明の一実施形態の端部納め材の外観を示しており、この端部納め材２は、天面部２１と底面部２２と後面部２３と左右側面部２４、２４とを有して断面直角三角形状に成形された鉄製の鋳物であり、後面部２３に設けた連結片２５を前記図６に示された床パネル１の側辺端部に接続して床パネル１の側端部に一体に取付けることができるように構成してある。
【００１２】
より詳しくは、端部納め材２は床パネル１の側辺と略同じ長さのブロック体として形成されており、その後面部２３が床パネル１を略同じ高さに設けられ、床パネル１に接続した状態で後面部２３が床パネル１の端部の隙間を遮蔽するように設けてある。
左右側面部２４、２４は直角三角形状を呈し、その斜辺に配した天面部２１は一側が後面部２３の上端に連なり、他側が下地床面に略接する位置に達するように傾斜させて設けてある。また、天面部２１の上面には複数の防滑用の凹部２１ａを形成してある。
連結片２５は、その先端に床パネル１の脚体１３が係合する係合部２５ａを備えており、床パネル１の脚体１３の設置位置及び配置間隔に対応させて、後面部２３から複数本突出させてある。
なお、図示されないが、端部納め材２はその表面を防蝕塗料で塗装してある。端部納め材２は、その表面の防蝕のため、図５に示されるように、金属コア体の表面をインサート成型によって合成樹脂材３で被覆して形成してもよい。
【００１３】
このように構成された端部納め材２は、図６に示された如く下地床面に敷設した床パネル１の側辺端部にこれを配置し、床パネル１の脚体１３に連結片２５の係合部２５ａを係合させて床パネル１に接続し取付けることができる。
図４に示されるように、床パネル１に端部納め材２を取付けた状態で、端部納め材２が塊状金属材からなるので、強風を受けても変位せずに取付け位置に固定され、接続した床パネル１を敷設位置に保持することができる。また、床パネル１と略同じ高さに設けた後面部２３によって床パネル１の端部の隙間が遮蔽されるので、床パネル１の下側空間へ風が吹き込むことはなく、さらに天面部２１が後面部２３から下り傾斜させて設けてあるので、端部納め材２に吹き付ける風は天面部２１に沿って床パネル１の上方空間へと導かれ、床パネル１の下側空間へ進入する風はごく僅かな量に抑えられ、これにより床パネル１が強風を受けて捲れ上がったり分離飛散したりすることを効果的に防止することが可能である。
【００１４】
なお、図示した床パネル１や端部納め材２の形態は一例であり、これらは床パネル１の敷設位置や広さなど、設置条件に応じて適宜な形態に設けることが可能である。
【符号の説明】
【００１５】
１  床パネル、１１  単位パネル、１２  パネル面、１３  脚体、２  端部納め材、２１  天面部、２２  底面部、２３  後面部、２４  左右側面部、２５  連結片、３  合成樹脂材、Ｗ  風
【図１】
2011099214.tif 000003
【図２】
2011099214.tif 000004
【図３】
2011099214.tif 000005
【図４】
2011099214.tif 000006
【図５】
2011099214.tif 000007
【図６】
2011099214.tif 000008